(57)【要約】【課題】ＶｏＩＰ端末としてのＩＰ電話による発信者が移動先から発信した場合でも、その発信者の位置を着信側で特定可能とする発信者位置情報確定方法およびＩＰ電話を利用する着信者が移動先で着信した場合でも、その着信者の位置を発信側で特定可能とする着信者位置情報確定方法を提供する。【解決手段】ＩＰ電話を使用する際に、ＶｏＩＰを転送するＩＰ網に収容されるＶｏＩＰ端末の回線が、必ず単一のエッジルータのノードに収容されるような転送網において、エッジルータと呼制御サーバとの間の呼制御プロトコル信号を転送するＶＬＡＮ（バーチャルＬＡＮ）を設定し、かつその設定情報を管理するＶＬＡＮ設定サーバを用いることにより発信者または着信者の位置認証を行う。【選択図】図１
2005124064.tif 000002
【特許請求の範囲】
【請求項１】
音声をＩＰパケット化したＶｏＩＰを転送するＩＰ転送網で、該ＩＰ転送網に収容されるＶｏＩＰ端末の回線が、必ず単一のエッジルータのノードに収容されるような転送網を介して、ＶｏＩＰ端末からの発信者の位置を特定可能とする発信者位置情報確定方法であって、前記ＩＰ転送網が：
発信者のＶｏＩＰ送信端末からの発呼パケットを該発信者の位置情報を必要とする着信相手のサービス端末へと転送するルーチングパスを設定制御する呼制御サーバと；
前記エッジルータと呼制御サーバとの間の呼制御プロトコル信号を転送するＶＬＡＮを設定し、その設定情報を管理するＶＬＡＮ設定サーバと；
前記ＶｏＩＰ送信端末から前記呼制御サーバにアクセスする呼制御プロトコル信号を、着信宛先を判定して前記呼制御サーバにつながるＶＬＡＮに通過させる機能を有するエッジルータと；
前記ＶｏＩＰ送信端末を収容するエッジルータと呼制御サーバ間に設定されたＶＬＡＮを経由してきた端末からのアクセスにより、経由ＶＬＡＮ設定情報からＶｏＩＰ送信端末の収容エッジルータおよびその収容ポートを特定し、ＶｏＩＰ送信端末端末の収容回線の範囲を特定する機能を有する位置特定サーバと；
発信者から送られてきた発呼パケットを分析して着側宛先電話番号を割り出すルーチング情報分析部；
とを含み、
前記ＶｏＩＰ送信端末から発信された発呼パケットは、前記端末を収容するエッジルータが、ＶＬＡＮtagからＶＬＡＮを選択することにより前記呼制御サーバにルーチングされ、該呼制御サーバが前記位置特定サーバと連携してパケットを受け取ったＶＬＡＮtagから地域情報を特定して位置情報を入手すると共に前記パケットから着電話番号を分析して、着電話番号とルーチング情報とを結合して前記着信相手のサービス端末にルーチングし、該サービス端末が前記呼制御サーバからの呼び出しに対応して着信処理を行って、発信者位置認証した相手との通話を可能にしたことを特徴とするＶＬＡＮを用いた発信者位置情報確定方法。
【請求項２】
前記ルーチングに使用するＶＬＡＮには、あらかじめ発信地域毎に番号等等の明示的な記号明示的な記号を振っておき、発呼パケットが何番のＶＬＡＮから転送されているか第三者が分析可能なように設定することを特徴とする請求項１に記載のＶＬＡＮを用いた発信者位置情報確定方法。
【請求項３】
前記ルーチングに使用するＶＬＡＮは、各地域から発信されるたびに発着ＩＰアドレス情報を元に設定し、該ＶＬＡＮの設定に際し、発信地域毎に番号等の明示的な記号を振っておき、発呼パケットが何番のＶＬＡＮから転送されているか第三者が分析可能なように設定することを特徴とする請求項１に記載のＶＬＡＮを用いた発信者位置情報確定方法。
【請求項４】
前記呼制御サーバが、位置特定サーバおよび発信者から送られてきたパケットから着信宛先電話番号を割り出すルーチング情報分析部も実装することを特徴とする請求項１に記載のＶＬＡＮを用いた発信者位置情報確定方法。
【請求項５】
音声をＩＰパケット化したＶｏＩＰを転送するＩＰ転送網で、該ＩＰ転送網に収容される着信側のＶｏＩＰ端末の回線が、必ず単一のエッジルータのノードに収容されるような転送網を介して、発信者側でＶｏＩＰ端末の着信者の位置を特定可能とする着信者位置情報確定方法であって、前記ＩＰ転送網が：
位置情報を必要とする発信者の送信端末からの発呼パケットを着信相手のＶｏＩＰ端末へと転送するルーチングパスを設定制御する呼制御サーバと；
該呼制御サーバと前記エッジルータとの間の呼制御プロトコル信号を転送するＶＬＡＮを設定し、その設定情報を管理するＶＬＡＮ設定サーバと；
前記送信端末から前記呼制御サーバにアクセスする呼制御プロトコル信号を、着信宛先を判定して前記呼制御サーバにつながるＶＬＡＮに通過させる機能を有するエッジルータと；
前記呼制御サーバと着信端末を収容するエッジルータとの間に設定されたＶＬＡＮを経由してきた送信端末からのアクセスにより、経由ＶＬＡＮ設定情報からＶｏＩＰ着信端末の収容エッジルータおよびその収容ポートを特定し、ＶｏＩＰ着信端末端末の収容回線の範囲を特定する機能を有する位置特定サーバと；
発信者から送られてきた発呼パケットを分析して着側宛先電話番号を割り出すルーチング情報分析部；
とを含み、
前記送信端末から発信された発呼パケットは、前記呼制御サーバから前記着信端末を収容するエッジルータにルーチングされ、該エッジルータ経由で着信端末である前記ＶｏＩＰ端末に発呼パケットが到達したら、該ＶｏＩＰ端末が前記呼制御サーバに応答する呼を発呼し、前記呼制御サーバが応答してきた呼に対して、前記位置特定サーバと連携してパケットを受け取ったＶＬＡＮtagのラベルから地域情報を特定して、着信者の位置を確定することを特徴とするＶＬＡＮを用いた着信者位置情報確定方法。
【請求項６】
前記ルーチングに使用するＶＬＡＮは、あらかじめ着信地域毎に番号等の明示的な記号を振っておき、パケットが何番のＶＬＡＮから転送されているか第三者が分析可能なように設定することを特徴とする請求項５に記載のＶＬＡＮを用いた着信者位置情報確定方法。
【請求項７】
前記ルーチングに使用するＶＬＡＮは、各地域から応答されるたびに発着ＩＰアドレス情報もしくはレイヤ２情報を元に設定し、該ＶＬＡＮの設定に際し、地域毎に番号等の明示的な記号を振っておき、パケットが何番のＶＬＡＮから転送されているか第三者が分析可能なように設定することを特徴とする請求項５に記載のＶＬＡＮを用いた着信者位置情報確定方法。
【請求項８】
前記呼制御サーバが、位置特定サーバおよび発信者から送られてきたパケットから着信宛先電話番号を割り出すルーチング情報分析部も実装することを特徴とする請求項５に記載のＶＬＡＮを用いた着信者位置情報確定方法。
【発明の詳細な説明】
【技術分野】
【０００１】
本発明は、音声をＩＰパケット化したＶｏＩＰを転送するＩＰ転送網で、該ＩＰ転送網に収容されるＶｏＩＰ端末の回線が、必ず単一のエッジルータのノードに収容されるような転送網を介して、ＩＰ電話からの発信者またはＩＰ電話への着信者の位置情報確定方法に関するものである。
【背景技術】
【０００２】
通常、事故や救急の事態に遭遇した際における固定電話からの「１１０番」や「１１９番」への通報は、その発信者の電話番号から住所も自動的に警察や消防署が把握可能であり、現場を特定した上での迅速な事故対応を可能としている。また、近年爆発的に普及している携帯電話からの「１１０番」や「１１９番」への通報においても、携帯電話が通信している無線基地局のカバー・エリア内の代表地点を端末の位置とする「セル・ベース」方式や、複数の基地局からの電波の到達時間差を利用する「ＯＴＤＯＡ」（Observed Time Difference Of Arrival）方式や、ＧＰＳ衛星の信号を携帯電話が受信して位置を測定する「ＧＰＳ」方式などによる測位方式により得られる位置情報を利用する緊急通報サービスが行われている（非特許文献１参照）。
【０００３】
しかし、近年はＡＤＳＬの普及を受けてＶｏＩＰ技術を使うＩＰ電話の利用も広がり、ＩＰ電話でもその発信者の位置情報を確定して緊急通報サービスを受けられるようにしている。
【０００４】
図６はＩＰ電話を利用する場合における従来の発信者位置情報確定方法のシステム構成図を示す。
図６において、１はＩＰ電話１０を収容する送信側ネットワーク（NW）である。２はＩＰ電話１０から発呼された発信者の位置情報を必要とする、例えば警察や消防署等におけるサービス端末２０を収容する受信側ネットワークである。この受信側ネットワーク２は通常ＰＳＴＮであり、これは加入者交換機（ＬＳ）２１、中継/相互接続用交換機（IC/IGS）２２、共通線信号装置（ＳＳ７）２３を具えている。ただしＰＳＴＮ網はＩＰ網である場合もある。３は送信側ネットワーク１と受信側ネットワーク２との間にてＩＰパケット化したＶｏＩＰを転送するＩＰ網であり、４は送信側ネットワーク１とＩＰ網３を相互接続するＬ２ＳＷ等の相互接続スイッチである。
【０００５】
ＩＰ網３は、送信側ネットワーク１が収容するＩＰ電話１０にＬ２ＳＷ等のスイッチ４を介して接続されて、パケット処理や分類を実行して最初にラベルを生成するエッジルータ３０と、発信者のＩＰ電話１０から警察や消防署等のサービス端末２０へのルーチングパスを設定制御するコールエージェント（ＣＡ）サーバ（呼制御サーバ）３１と、発信者が事前にＩＰアドレスや住所等の位置情報を登録しておく位置情報データベース（ＤＢ）３２と、ラベルやテーブルに従ってパケット交換を行うコアルータ３３と、受信側のエッジルータ３４と、受信側ネットワーク２の中継/相互接続用交換機（ＩＣ/ＩＧＳ）２２および共通線信号装置（ＳＳ７）２３にそれぞれ接続するトランキングメディアゲートウェイ（ＭＧ）３５およびコールエージェントゲートウェイ（ＧＷ）３６とを収容している。
【０００６】
この図６の従来の場合には、発信者がＩＰ電話１０から位置情報を必要とする警察や消防署等のサービス端末２０へ着信電話番号を発呼する（１）と、この呼は先ずＬ２ＳＷ等のスイッチ４を介してエッジルータ３０の収容ポートに転送され、次いで呼はコールエージェントサーバ３１に転送され、このコールエージェントサーバ３１が位置情報データベース３２にアクセスして、位置情報を検索して発信者の位置を確定し（２）、その発信者を認証すると、呼はＩＰ網３を経由して着信端末であるサービス端末２０へとルーチングされ（３）、位置情報を必要とする端末２０においては、発呼者であるＩＰ電話１０から発信者の位置を特定し得るようにしていた。
【０００７】
【非特許文献１】「通信ネットワーク早わかり講座」  日経ＢＰ社発行、２００３年６月３０日、ｐ．２２２〜２２２３
【発明の開示】
【発明が解決しようとする課題】
【０００８】
しかし、発信者のＩＰアドレスや上位レイヤでのアプリケーションを用いて、その発信者が事前にＩＰアドレスや住所等の位置情報を事前に登録している位置情報データベースを参照、照合し、その登録住所から発信者の位置を割り出す従来の方法では、発信者が移動先から発信した場合には、ＩＰアドレスが異なるため、位置情報データベースとの照合が不可能、もしくは本人認証はできても位置情報データベースに事前に登録した住所とは異なる地点にいるために、発信者の位置を特定することは不可能であった。
【０００９】
また、ＩＰ電話の着信者の位置も特定できれば、その電話ユーザの位置に応じて、例えばコンテンツ・プロバイダであれば周辺の店舗情報を配信したり、目的地への経路情報などを提供するサービスを展開することができる。
【００１０】
そこで、本発明の目的は、ＶｏＩＰ端末としてのＩＰ電話による発信者が移動先から発信した場合でも、その発信者の位置を着信側で特定可能とする発信者位置情報確定方法を提供することにある。
【００１１】
さらに本発明の他の目的は、ＶｏＩＰ端末としてのＩＰ電話を利用する着信者が移動先で着信した場合でも、その着信者の位置を発信側で特定可能とする着信者位置情報確定方法を提供することにある。
【課題を解決するための手段】
【００１２】
上記の目的を達成するため、本発明は、音声をＩＰパケット化したＶｏＩＰを転送するＩＰ転送網で、該ＩＰ転送網に収容されるＶｏＩＰ端末の回線が、必ず単一のエッジルータのノードに収容されるような転送網を介して、ＶｏＩＰ端末からの発信者の位置を特定可能とする発信者位置情報確定方法であって、前記ＩＰ転送網が：
発信者のＶｏＩＰ送信端末からの発呼パケットを該発信者の位置情報を必要とする着信相手のサービス端末へと転送するルーチングパスを設定制御する呼制御サーバと；
前記エッジルータと呼制御サーバとの間の呼制御プロトコル信号を転送するＶＬＡＮ（バーチャルLAN）を設定し、その設定情報を管理するＶＬＡＮ設定サーバと；
前記ＶｏＩＰ送信端末から前記呼制御サーバにアクセスする呼制御プロトコル信号を、着信宛先を判定して前記呼制御サーバにつながるＶＬＡＮに通過させる機能を有するエッジルータと；
前記ＶｏＩＰ送信端末を収容するエッジルータと呼制御サーバ間に設定されたＶＬＡＮを経由してきた端末からのアクセスにより、経由ＶＬＡＮ設定情報からＶｏＩＰ送信端末の収容エッジルータおよびその収容ポートを特定し、ＶｏＩＰ送信端末端末の収容回線の範囲を特定する機能を有する位置特定サーバと；
発信者から送られてきた発呼パケットを分析して着側宛先電話番号を割り出すルーチング情報分析部；
とを含み、
前記ＶｏＩＰ送信端末から発信された発呼パケットは、前記端末を収容するエッジルータがＶＬＡＮtagからＶＬＡＮを選択することにより前記呼制御サーバにルーチングされ、該呼制御サーバが前記位置特定サーバと連携してパケットを受け取ったＶＬＡＮtagから地域情報を特定して位置情報を入手すると共に前記パケットから着電話番号を分析して、着電話番号とルーチング情報とを結合して前記着信相手のサービス端末にルーチングし、該サービス端末が前記呼制御サーバからの呼び出しに対応して着信処理を行って、発信者位置認証した相手との通話を可能にしたことを特徴とするＶＬＡＮを用いた発信者位置情報確定方法にある。
【００１３】
本発明の好適例では、ルーチングに使用するＶＬＡＮは、あらかじめ発信地域毎に番号等明示的な記号を振っておき、発呼パケットが何番のＶＬＡＮから転送されているか第三者が分析可能なように設定する。
【００１４】
本発明の他の好適例では、ルーチングに使用するＶＬＡＮは、各地域から発信されるたびに発着ＩＰアドレス情報を元に設定し、該ＶＬＡＮの設定に際し、発信地域毎に番号等明示的な記号を振っておき、発呼パケットが何番のＶＬＡＮから転送されているか第三者が分析可能なように設定する。
【００１５】
本発明はさらに、音声をＩＰパケット化したＶｏＩＰを転送するＩＰ転送網で、該ＩＰ転送網に収容される着信側のＶｏＩＰ端末の回線が、必ず単一のエッジルータのノードに収容されるような転送網を介して、発信者側でＶｏＩＰ端末の着信者の位置を特定可能とする着信者位置情報確定方法であって、前記ＩＰ転送網が：
位置情報を必要とする発信者の送信端末からの発呼パケットを着信相手のＶｏＩＰ端末へと転送するルーチングパスを設定制御する呼制御サーバと；
該呼制御サーバと前記エッジルータとの間の呼制御プロトコル信号を転送するＶＬＡＮを設定し、その設定情報を管理するＶＬＡＮ設定サーバと；
前記送信端末から前記呼制御サーバにアクセスする呼制御プロトコル信号を、着信宛先を判定して前記呼制御サーバにつながるＶＬＡＮに通過させる機能を有するエッジルータと；
前記呼制御サーバと着信端末を収容するエッジルータとの間に設定されたＶＬＡＮを経由してきた送信端末からのアクセスにより、経由ＶＬＡＮ設定情報からＶｏＩＰ着信端末の収容エッジルータおよびその収容ポートを特定し、ＶｏＩＰ着信端末端末の収容回線の範囲を特定する機能を有する位置特定サーバと；
発信者から送られてきた発呼パケットを分析して着側宛先電話番号を割り出すルーチング情報分析部；
とを含み、
前記送信端末から発信された発呼パケットは、前記呼制御サーバから前記着信端末を収容するエッジルータにルーチングされ、該エッジルータ経由で着信端末である前記ＶｏＩＰ端末に発呼パケットが到達したら、該ＶｏＩＰ端末が前記呼制御サーバに応答する呼を発呼し、前記呼制御サーバが応答してきた呼に対して、前記位置特定サーバと連携してパケットを受け取ったＶＬＡＮtagのラベルから地域情報を特定して、着信者の位置を確定することを特徴とするＶＬＡＮを用いた着信者位置情報確定方法にある。
【発明の効果】
【００１６】
上述した本発明によれば、発信者の送信端末が移動した場合でも、着信側で発信者がどこにいるか位置を特定し、発信した地域を限定することができので、例えば緊急事態が生じた場合に、発信現場を特定した上での迅速な対応が可能である。
【００１７】
また、本発明によれば、発信側で着信者の地域を限定することができるので、幾つかの着信候補からその地域に関連したある着信候補に、例えば周辺の店舗情報を配信したり、目的地への経路情報などを提供することができる。
【発明を実施するための最良の形態】
【００１８】
以下、本発明を図面を参照して詳細に説明する。
図１は本発明に係る発信者位置情報確定方法を実施するシステム全体の構成を示す概略図である。ここに、前記図６の従来例に対応する要素には同じ参照番号を付して示してある。なお、発信者の「地域」設定に際し、各地域Ａ〜Ｅは各発信者端末毎に設定してもよいが、端末確定までの位置情報が不要の場合は、複数の発信者端末が集約された地点とすることもできる。
【００１９】
本発明では、従来用いていた位置情報データベース（図６の３２）に代えて、ＩＰ網３内に発信者のＶｏＩＰ送信端末であるＩＰ電話１０の収容回線の範囲を特定する機能を有する位置特定サーバ３７と、エッジルータ３０とコールエージェント（ＣＡ）サーバ（呼制御サーバ）３１との間の呼制御プロトコル信号を転送するＶＬＡＮ（バーチャルＬＡＮ）を設定し、その設定情報を管理すると共にＣＡサーバ３１と連動して送信側のエッジルータ３０と受信側のエッジルータ３４間のＶＬＡＮを設定するＶＬＡＮ設定サーバ３８とを設けて、ＩＰ電話を使用する際に、ＶＬＡＮを用いることにより発信者位置認証を可能にする。
【００２０】
この本発明による発信者位置情報確定方法の第１実施例の手順を図２を参照して説明する。なお、以下の各例では、図1に対応する要素には同じ参照番号を付し、またコールエージェントサーバ（呼制御サーバ）３１に位置特定サーバ３７および発信者から送られてきたパケットから着信宛先電話番号を割り出すルーチング情報分析部３９も実装するものとする。
（１）  各エッジルータ３０および３４のルーチングに使用するＶＬＡＮはＶＬＡＮ設定サーバ３８からあらかじめ発信地域毎に番号等明示的な記号（#1,#2,#3,….）を振っておき、何番のＶＬＡＮから発信者の信号が転送されているか第三者が分析可能なように設定しておく。なお、設定するＶＬＡＮは発信者に近ければ近いほどその位置の絞り込みは有効となるが、必ずしも発信者端末までＶＬＡＮを設定しなくてもよい。
（２）  発信者がＩＰ電話１０から、例えば警察や消防署等の「１１０番」や「１１９番」の着信電話番号を発呼する。
（３）  発信された呼はＩＰパケット化されてエッジルータ３０のノードに転送され、このエッジルータ３０はＶＬＡＮtagからＶＬＡＮを選択して、エッジルータ３０および３４からＣＡサーバ３１にルーチングする。このルーチングの際にはＶＬＡＮ上で発呼パケットを転送する。
（４）  ＣＡサーバ３１が発呼パケットを受け取ると、ＣＡサーバ３１は位置特定サーバ３７と連携してパケットを受け取ったＶＬＡＮtagから地域情報を特定する。
（５）  ＣＡサーバ３１は、位置特定サーバ３７から位置情報を入手し、また受け取ったパケットからルーチング情報分析部３９にて着電話番号を分析する。
（６）  ＣＡサーバ３１は発信者から送られてきた発呼パケットをルーチング情報分析部３９にて分析して、着電話番号とルーチング情報（ＩＰアドレスやレイヤ２情報）とを結合し、着信端末２０にルーチングを行う。
（７）  着信端末２０は、ＣＡサーバ３１からの呼び出しに対応して着信処理を行い、発信者位置認証した相手との通話が可能となる。
【００２１】
なお、ＣＡサーバ３１から着信端末２０までは、ＶＬＡＮでも単なるＩＰルーチングでもよい。
【００２２】
上述した第１の実施例では、ルーチングに使用するＶＬＡＮをあらかじめ発信地域毎に番号を振って設定したが、発信者からＣＡサーバ３１まで確保する帯域が少ない場合には、ＶＬＡＮはあらかじめ事前に各地域毎に設定せずに、発呼の度に動的に設定したり、解除したりする効率的な方法を採用することもできる。
【００２３】
このＶＬＡＮの動的設定の場合における本発明による発信者位置情報確定方法の第２実施例の手順を図３を参照して説明する。
（１）  発信者がＩＰ電話端末１０から着信電話番号を発呼する。
（２）  発信された呼はＩＰパケット化されてエッジルータ３０に転送され、転送されたパケットは一度ＶＬＡＮ設定サーバ３８にルーチングする。ＶＬＡＮ設定サーバ３８ではパケットを分析し、各地域から発信されるたびに発着ＩＰアドレス情報を元に各エッジルータ３０および３４のＶＬＡＮを設定する。この設定に際しては、発信地域毎に番号等明示的な記号を振っておき、何番のＶＬＡＮから呼制御プロトコル信号が転送されているか第三者が分析可能なように設定する。なお、設定するＶＬＡＮは発信者に近ければ近いほどその位置の絞り込みは有効となるが、必ずしも発信者端末までＶＬＡＮを設定しなくてもよい。
（３）  ＶＬＡＮ設定後に設定したＶＬＡＮ上でエッジルータ３０および３４からＣＡサーバ３１にパケットを転送する。
（４）  ＣＡサーバ３１が発呼パケットを受け取ると、ＣＡサーバ３１は位置特定サーバ３７と連携してパケットを受け取ったＶＬＡＮtagから地域情報を特定する。
（５）  ＣＡサーバ３１は、位置特定サーバ３７から位置情報を入手し、また着信番号を受け取ったパケットから分析する。
（６）  ＣＡサーバ３１は発信者から送られてきた発呼パケットをルーチング情報分析部３９にて分析して、着電話番号とルーチング情報（ＩＰアドレスやレイヤ２情報）とを結合し、着信端末２０にルーチングを行う。
（７）  着信端末２０は、ＣＡサーバ３１からの呼出しに対応して着信処理を行い、発信者位置認証した相手との通話が可能となる。
【００２４】
なお、この例の場合にも、ＣＡサーバ３１から着信端末２０までは、ＶＬＡＮでも単なるＩＰルーチングでもよい。
【００２５】
上記第1および第２実施例は発信者側の位置特定方法であるが、同様な方法で着信者側の位置特定も可能であり、ＩＰ電話の着信者の位置も特定できれば、その電話ユーザの位置に応じて、発信者、例えばコンテンツ・プロバイダであれば周辺の店舗情報を配信したり、目的地への経路情報などを提供するサービスに供することができる。そこで、以下前記第1および第２実施例に対応した本発明による着信者位置情報確定方法の第３および第４の各実施例を図４および図５につき説明する。
【００２６】
先ず、着信者位置情報確定方法の第３実施例の手順を図４を参照して説明する。なお、以下の各例では、図1に対応する要素には同じ参照番号を付し、またＣＡサーバ（呼制御サーバ）３１が位置特定サーバ３７およびルーチング情報分析部３９の機能も有するものとする。さらに、着信者側の位置特定を望む発信者側の端末２０ａは、着信者周辺の店舗情報を配信したり、目的地への経路情報などを提供するようなコンテンツ・プロバイダのＩＰ電話とし、着信者端末はそのような情報配信を望むＩＰ電話とする。
（１）  各エッジルータ３０および３４のルーチングに使用するＶＬＡＮはＶＬＡＮtagを設定するVLAN設定サーバ３８からあらかじめ着信地域毎に番号（#1,#2,#3,….）を振っておき、何番のＶＬＡＮから転送されているか第三者が分析可能なように設定しておく。
（２）  発信者がＩＰ電話２０ａから、着信電話番号を発呼する。
（３）  ＣＡサーバ３１が発呼パケットを受け取ると、ＣＡサーバ３１は位置特定サーバ３７と連動してパケットを受け取ったＶＬＡＮのtag（番号）から地域情報を特定する。
（４）  ＣＡサーバ３１にて着電話番号からパケットを分析する。
（５）  着電話番号とルーチング情報を結合し、着信端末１０ａへのルーチングを行う。
（６）  ＣＡサーバ３１からエッジルータ３４および３０にルーチングする。
（７）  エッジルータ経由で「地域Ａ」の着信端末１０ａに発呼パケットが到達したら、着信端末１０ａはＣＡサーバ３１に応答する呼を発呼する。
（８）  着信端末１０ａから応答してきた呼をエッジルータ３０および３４からＣＡサーバ３１に転送する。
（９）  ＣＡサーバ３１は、応答してきた呼に対して位置特定サーバ３７にてパケットを受け取ったＶＬＡＮの番号から地域情報を特定し、着信者の位置を確定する。
【００２７】
上述した第３の実施例では、ルーチングに使用するＶＬＡＮをあらかじめ着信地域毎に番号を振って設定したが、ＶＬＡＮはあらかじめ事前に各地域毎に設定せずに、各地域の着信端末から応答されるたびに動的に設定したり、解除したりする効率的な方法を採用することもできる。
【００２８】
このＶＬＡＮの動的設定の場合における本発明による着信者位置情報確定方法の第４実施例の手順を図５を参照して説明する。
（１）  発信者がＩＰ電話１０から着信電話番号を発呼する。
（２）  発信された呼がＣＡサーバ３１に転送されると、このＣＡサーバ３１は発信者から送られてきた着電話番号をルーチング情報分析部３９にて分析して着側宛先電話番号を割り出す。
（３）  ＣＡサーバ３１にて割り出した着側宛先電話番号をエッジルータ３４および３０にルーチングする。
（４）  エッジルータ経由で例えば「地域Ａ」の着信端末１０ａに着側宛先電話番号のパケットが到達したら、着信端末１０ａはＣＡサーバ３１に応答する呼を発呼する。
（５）  着信端末１０ａから応答してきた呼をエッジルータ３０および３４からＣＡサーバ３１に転送する。
（６）  応答した呼に対してエッジルータ３０および３４のＩＰアドレスやレイヤ２情報を特定し、ＶＬＡＮ設定サーバ３８にエッジルータ３０および３４の情報を転送する。
（７）  ルーチングに使用するＶＬＡＮは各地域から応答されるたびに、発着ＩＰアドレス情報もしくはレイヤ２情報を元に設定する。この設定に際しては、地域毎に番号を振っておき、何番のＶＬＡＮから応答が転送されているか第三者が分析可能なように設定する。
（８）  ＣＡサーバ３１がＶＬＡＮ設定サーバ３８にて設定されたＶＬＡＮの番号から位置特定サーバにて地域情報を特定し、着信者の位置を確定する。
【図面の簡単な説明】
【００２９】
【図１】本発明によるＩＰ電話を利用する発信者位置情報確定方法のシステム構成を示す該略図である。
【図２】本発明による発信者位置情報確定方法の第１実施例の手順を示す図である。
【図３】本発明による発信者位置情報確定方法の第２実施例の手順を示す図である。
【図４】本発明による着信者位置情報確定方法の第３実施例の手順を示す図である。
【図５】本発明による着信者位置情報確定方法の第４実施例の手順を示す図である。
【図６】ＩＰ電話を利用する従来の発信者位置情報確定方法のシステム構成を示す該略図である。
【符号の説明】
【００３０】
１  送信側ネットワーク
２  受信側ネットワーク
３  ＩＰ転送網
４  Ｌ２ＳＷ（レイヤ２スイッチ）
２０  位置情報を必要とするサービス端末
２１  ＬＳ（加入者交換機）
２２  ＩＣ／ＩＧＳ（中継/相互接続用交換機）
２３  ＳＳ７（共通線信号装置）
３０  エッジルータ
３１  コールエージェントサーバ（呼制御サーバ）
３２  位置情報データベース
３３  コアルータ
３４  エッジルータ
３５  トランキングメディアゲートウェイ
３６  コールエージェントゲートウェイ
３７  位置特定サーバ
３８  ＶＬＡＮ設定サーバ
３９  ルーチング情報分析部
【図１】
2005124064.tif 000003
【図２】
2005124064.tif 000004
【図３】
2005124064.tif 000005
【図４】
2005124064.tif 000006
【図５】
2005124064.tif 000007
【図６】
2005124064.tif 000008